(57)【要約】【課題】光学部品の位置決め状態を維持しつつその光学部品を回転調節できる光ピックアップおよび光ディスク装置を提供する。【解決手段】光学部品１５が押さえばね３２を介してベース３０に組み付けられている。光学部品１５は外周部３６を備え、外周部３６に、外周面３８と、第１の当て付け面４０と、第２の当て付け面４２とが設けられている。外周面３８は光軸１５Ａを中心とする円筒面で形成されている。第１の当て付け面４０は光軸１５Ａと直交する平面上を延在している。第２の当て付け面４２は、光軸１５Ａを中心とする円錐面で光軸１５Ａ方向の他方の端部から一方の端部に向かうにしたがい次第に直径が大きくなる傾斜の円錐面で形成されている。第２の当て付け面４２を構成する円錐面は、光軸１５Ａとのなす角度θが０度より大きく４５度より小さくなるように形成されている。【選択図】図６
2008217943.tif 000002
【特許請求の範囲】
【請求項１】
光ディスクに対し記録および／または再生用の光ビームを光学系を介して照射し、前記光ディスクで反射された反射光ビームを前記光学系を介して検出する光ピックアップであって、
ベースと、
前記光学系の一部を構成する光学部品と、
前記光学部品を前記ベースに当て付ける押さえばねとを備え、
前記光学部品は、
前記光学部品の光軸を中心とする円筒面からなる外周面と、
前記光軸方向の一方の端部寄りに位置し前記光軸と直交する平面上を延在する第１の当て付け面と、
前記第１の当て付け面よりも前記光軸方向の他方の端部寄りに位置し前記光軸を中心とする円錐面で前記光軸方向の他方の端部から一方の端部に向かうにしたがい次第に直径が大きくなる傾斜の円錐面からなる第２の当て付け面とを備え、
前記光学部品は、前記押さえばねが前記第２の当て付け面に弾接し、前記押さえばねの弾性力により前記第１の当て付け面が前記ベースの箇所に当て付けられるとともに、前記外周面が前記ベースの箇所に当て付けられ、
前記円錐面は、前記光軸に対する角度が０度より大きく４５度より小さくなるように設けられている、
ことを特徴とする光ピックアップ。
【請求項２】
前記光学部品は、光学的機能を奏する機能構造部とその周囲の外周部とを備え、
前記外周面、前記第１の当て付け面、前記第２の当て付け面は前記外周部に設けられている、
ことを特徴とする請求項１記載の光ピックアップ。
【請求項３】
前記光学部品は、光学的機能を奏する機能構造部とその周囲の外周部とを備え、
前記外周面、前記第１の当て付け面、前記第２の当て付け面は前記外周部に設けられ、
前記外周面に、前記光学部品を回転調節するための操作用凹部が設けられ、
前記第２の当て付け面は、前記外周部の周方向において前記操作用凹部が設けられた箇所と同一の位相の箇所に設けられている、
ことを特徴とする請求項１記載の光ピックアップ。
【請求項４】
前記光学部品は、光学的機能を奏する機能構造部とその周囲の外周部とを備え、
前記外周面、前記第１の当て付け面、前記第２の当て付け面は前記外周部に設けられ、
前記外周面に、前記光学部品を回転調節するための操作用凹部が設けられ、
前記外周面で前記操作用凹部に対して前記外周面の周方向に１８０度位相をずらした箇所に、ベースの溝に挿入されて前記光学部品のベース上での回転調節角度を制限する突出部が設けられ、
前記第２の当て付け面は、前記外周部の周方向において前記操作用凹部が設けられた箇所と同一の位相の箇所に設けられている、
ことを特徴とする請求項１記載の光ピックアップ。
【請求項５】
前記第２の当て付け面は、前記光軸を中心とした円周方向における予め定められた範囲に設けられている、
ことを特徴とする請求項１記載の光ピックアップ。
【請求項６】
前記押さえばねは、細長形状の板ばね本体と、板ばね本体の長手方向の端部に設けられた突起とを有し、
前記押さえばねの前記第２の当て付け面への弾接は、前記突起が前記第２の当て付け面に当て付けられることでなされる、
ことを特徴とする請求項１記載の光ピックアップ。
【請求項７】
光ディスクに対し光学系を介して記録および／または再生用の光ビームを照射し、前記光ディスクで反射された反射光ビームを光学系を介して検出する光ピックアップとを有する光ディスク装置であって、
前記光ピックアップは、
ベースと、
前記光学系の一部を構成する光学部品と、
前記光学部品を前記ベースに当て付ける押さえばねとを備え、
前記光学部品は、
前記光学部品の光軸を中心とする円筒面からなる外周面と、
前記光軸方向の一方の端部寄りに位置し前記光軸と直交する平面上を延在する第１の当て付け面と、
前記第１の当て付け面よりも前記光軸方向の他方の端部寄りに位置し前記光軸を中心とする円錐面で前記光軸方向の他方の端部から一方の端部に向かうにしたがい次第に直径が大きくなる傾斜の円錐面からなる第２の当て付け面とを備え、
前記光学部品は、前記押さえばねが前記第２の当て付け面に弾接し、前記押さえばねの弾性力により前記第１の当て付け面が前記ベースの箇所に当て付けられるとともに、前記外周面が前記ベースの箇所に当て付けられ、
前記円錐面は、前記光軸に対する角度が０度より大きく４５度より小さくなるように設けられている、
ことを特徴とする光ディスク装置。
【発明の詳細な説明】
【技術分野】
【０００１】
本発明は、光ディスクに信号の記録や再生を行う光ピックアップおよびそのような光ピックアップを有する光ディスク装置に関する。
【背景技術】
【０００２】
ＤＶＤ（Ｄｉｇｉｔａｌ  Ｖｅｒｓａｔｉｌｅ  Ｄｉｓｋ）などの光ディスクに対して光ビームを照射することにより信号の記録あるいは再生あるいは記録および再生を行う光ピックアップがある。
光ピックアップは、光源から出射された光ビームが通過する種々の光学部品と、それら光学部品などを保持するベースとを含んで構成されている。
このような光学部品のベースへの取り付け構造として、押さえばねを用いて光学部品をベースの当て付け面に押し付けた状態で、光軸方向と、光軸方向と直交する平面に沿った方向の位置決めを行ったのち、接着剤などによりベースに固定するものが提案されている（特許文献１、２参照）。
【特許文献１】特開平３−１７４１０８
【特許文献２】特開平５−２０５３０３
【発明の開示】
【発明が解決しようとする課題】
【０００３】
ところで、このような光学部品として、前記位置決めに加えて、例えば、グレーティング（回折格子）のように光軸を中心とした周方向の位置決めを行う場合には、前記位置決めを行いつつ、光学部品を光軸の周りに回転調節することになる。
ところが、押さえばねによる押し付け力が大き過ぎたり、小さ過ぎたりすると、光学部品を回転させる際に、光学部品が位置決めされた状態から浮き上がったり傾いたりする現象が発生してしまい、正確な位置決めを行う上で不都合があった。
本発明はこのような事情に鑑みなされたもので、その目的は、光学部品の位置決め状態を維持しつつその光学部品を回転調節できる光ピックアップおよび光ディスク装置を提供することにある。
【課題を解決するための手段】
【０００４】
上記目的を達成するために本発明は、光ディスクに対し記録および／または再生用の光ビームを光学系を介して照射し、前記光ディスクで反射された反射光ビームを前記光学系を介して検出する光ピックアップであって、ベースと、前記光学系の一部を構成する光学部品と、前記光学部品を前記ベースに当て付ける押さえばねとを備え、前記光学部品は、前記光学部品の光軸を中心とする円筒面からなる外周面と、前記光軸方向の一方の端部寄りに位置し前記光軸と直交する平面上を延在する第１の当て付け面と、前記第１の当て付け面よりも前記光軸方向の他方の端部寄りに位置し前記光軸を中心とする円錐面で前記光軸方向の他方の端部から一方の端部に向かうにしたがい次第に直径が大きくなる傾斜の円錐面からなる第２の当て付け面とを備え、前記光学部品は、前記押さえばねが前記第２の当て付け面に弾接し、前記押さえばねの弾性力により前記第１の当て付け面が前記ベースの箇所に当て付けられるとともに、前記外周面が前記ベースの箇所に当て付けられ、前記円錐面は、前記光軸に対する角度が０度より大きく４５度より小さくなるように設けられていることを特徴とする。
また本発明は、光ディスクに対し光学系を介して記録および／または再生用の光ビームを照射し、前記光ディスクで反射された反射光ビームを光学系を介して検出する光ピックアップとを有する光ディスク装置であって、前記光ピックアップは、ベースと、前記光学系の一部を構成する光学部品と、前記光学部品を前記ベースに当て付ける押さえばねとを備え、前記光学部品は、前記光学部品の光軸を中心とする円筒面からなる外周面と、前記光軸方向の一方の端部寄りに位置し前記光軸と直交する平面上を延在する第１の当て付け面と、前記第１の当て付け面よりも前記光軸方向の他方の端部寄りに位置し前記光軸を中心とする円錐面で前記光軸方向の他方の端部から一方の端部に向かうにしたがい次第に直径が大きくなる傾斜の円錐面からなる第２の当て付け面とを備え、前記光学部品は、前記押さえばねが前記第２の当て付け面に弾接し、前記押さえばねの弾性力により前記第１の当て付け面が前記ベースの箇所に当て付けられるとともに、前記外周面が前記ベースの箇所に当て付けられ、前記円錐面は、前記光軸に対する角度が０度より大きく４５度より小さくなるように設けられていることを特徴とする。
【発明の効果】
【０００５】
本発明によれば、光学部品の位置決め状態を維持しつつその光学部品を回転調節する上で有利となる。
【発明を実施するための最良の形態】
【０００６】
次に本発明の実施の形態について説明する。
まず、本発明の光ピックアップ１０が組み込まれる光ディスク装置１００について説明する。
図１は、本実施の形態の光ピックアップ１０を組み込んだ光ディスク装置１００の構成を示すブロック図である。
光ディスク装置１００は、光ディスク１０１に対して光ピックアップ１０により再生用の光ビームを照射し、光ディスク１０１から反射された光ビームを光検出素子（フォトディテクタ）１１で検出することによりデータを再生し、または、光ディスク１０１に対して光ピックアップ１０により記録用の光ビームを照射することでデータを記録するものである。
光ディスク装置１００は、スピンドルモータ１０２と、本発明の光ピックアップ１０と、ドライバ１０４と、ドライバ制御部１０６と、アンプ１０８と、信号処理部１１０と、制御部１１２と、入出力部１１４と、Ｄ／Ａコンバータ１１６と、記録制御回路１１８とを含んで構成されている。
光ピックアップ１０はスライダ１２０に組み付けられ、スライダ駆動部１２２によりスライダ１２０は、光ディスク１０１の半径方向に往復直線移動される。
スピンドルモータ１０２は、光ディスク１０１を回転駆動する駆動手段を構成するものである。
光ピックアップ１０は、光ディスク１０１に対して光ビームを照射してデータの読み書きを行うものであり、光ビームを照射するレーザーダイオード（光源）１２を有している。
ドライバ１０４は、スピンドルモータ１０２の駆動、スライダ駆動部１２２の駆動、光ピックアップ１０の移動を行うものである。
ドライバ制御部１０６は、ドライバ１０４を制御するものである。
アンプ１０８は、光ピックアップ１０内の光検出素子１１から出力される各種の信号に基づいてフォーカスエラー信号、トラッキングエラー信号、ＲＦ信号などを生成するものである。
信号処理部１１０は、アンプ１０８からの出力信号に基づく復調および誤り訂正処理などの所定の処理を行うものである。
制御部１１２は、ドライバ制御部１０６にフォーカスエラー信号、トラッキングエラー信号を出力してサーボを全体的にコントロールするものである。
入出力部１１４は、装置の操作情報などを入力するとともに、装置の動作状態を表示するものである。
Ｄ／Ａコンバータ１１６は、信号処理部１１０および制御部１１２からの信号をＤ／Ａ変換して入出力部１１４に入力するものである。
記録制御回路１１８は、光ディスク１０１に記録された信号を再生信号として受け取るとともに、データを信号処理部１１０により変調して光ピックアップ１０内の光源（レーザダイオード）１２を駆動してドライバ制御部１０６にサーボ情報を出力するものである。
【０００７】
光ピックアップ１０は、光学系２と、後述するベース３０と、押さえばね３２とを含んで構成されている。
図２は光ピックアップ１０の光学系２の構成を示す図である。
光ピックアップ１０は、光ディスク１０１に対し記録および／または再生用の光ビームを光学系２を介して照射し、光ディスク１０１で反射された反射光ビームを光学系２を介して検出するものである。
光学系２は、第１、第２の光源１２Ａ、１２Ｂ、第１、第２の光学部品１３、１５、第１、第２のビームスプリッタ１６、１７、フロントパワーモニタ用受光素子１８、マルチレンズ２０、受光素子１１、ミラー２２、コリメータレンズ２４、１／４波長板２６、対物レンズ２８などを含んで構成され、これらの部品は、ベース３０に組み付けられている。
第１、第２の光源１２Ａ、１２Ｂは、前記の光源１２を構成するものである。
第１の光源１２Ａは、ＣＤの記録および／または再生に対応した波長とパワーを有する光ビームを出射するレーザーダイオードで構成されている。
第２の光源１２Ｂは、ＤＶＤの記録および／または再生に対応した波長とパワーを有する光ビームを出射するレーザーダイオードで構成されている。
２つの光学部品１３、１５は、回折格子が形成されたグレーティングで構成されている。
これら光学部品１３、１５は、第１、第２の光源１２Ａ、１２Ｂから出射された光ビームが前記回折格子を通過することによって回折され、メインビームと２つのサブビームの３つの光ビームに分離されるものである。
本実施の形態では、ＤＶＤ用の光源１２Ｂからの光ビームを分離する光学部品１５に本発明が適用されている。
第１のビームスプリッタ１６は、光学部品１３、１５から出射された光ビームをそれぞれ第２のビームスプリッタ１７に導くものである。
第２のビームスプリッタ１７は、第１のビームスプリッタ１６から導かれた光ビームの一部をフロントパワーモニタ用受光素子１８に導くとともに、前記光ビームの残りをミラー２２を介してコリメータレンズ２４、１／４波長板２６、対物レンズ２８を介して光ディスク１０１に導くものである。
また、第２のビームスプリッタ１７は、光ディスク１０１で反射され対物レンズ２８、１／４波長板２６、コリメータレンズ２４、ミラー２２を介して導かれた反射光ビームをマルチレンズ２０を介して受光素子１１に導くものである。
【０００８】
したがって、第１の光源１２Ａまたは第２の光源１２Ｂの一方から光ビームが出射されると、その光ビームは、光学部品１３、あるいは、光学部品１５によって３つのビームに分離され、第１、第２のビームスプリッタ１６、１７、ミラー２２を介してコリメータレンズ２４で平行光とされ、１／４波長板２６によって偏光が変換され、対物レンズ２８によって集束されて光ディスク１０１に照射される。
光ディスク１０１で反射された反射光ビームは、対物レンズ２８、１／４波長板２６、コリメータレンズ２４、ミラー２２、第２のビームスプリッタ１７、マルチレンズ２０を介して受光素子１１で受光され、受光信号が生成される。
また、第２のビームスプリッタ１７を通過した光ビームはフロントパワーモニタ用受光素子１８によって検出され、第１の光源１２Ａまたは第２の光源１２Ｂの出力パワーのモニタに供される。
【０００９】
次に、本発明の要旨である光学部品１５の取り付け構造について説明する。
図３は光学部品１５の正面図、図４は図３のＡ矢視図、図５は光学部品１５の背面図である。
図６は光学部品１５がベース３０に組み付けられた状態を示す断面図である。
光学部品１５は押さえばね３２を介してベース３０に組み付けられている。
【００１０】
光学部品１５は、上述のように回折格子が形成されたグレーティングで構成されている。
図３乃至図６に示すように、光学部品１５は、回折格子部３４と、回折格子部３４の周囲の外周部３６とを備え、本実施の形態では、回折格子部３４が、光学的機能を奏する機能構造部に相当している。
回折格子部３４は、上述のように通過する光ビームを回折させることで３つのビームに分離するもので、図６に示すように入射面３４Ａと出射面３４Ｂとを有し、図６において符号１５Ａは回折格子部３４の光軸を示している。
出射面３４Ｂに、図５に斜線で示すように回折格子３４０２が形成されている。
光学部品１５の材料は合成樹脂あるいはガラスなど従来公知のさまざまな材料が採用可能である。
【００１１】
外周部３６には、外周面３８と、第１の当て付け面４０と、第２の当て付け面４２と、突出部４４とが設けられている。
外周面３８は、光学部品１５の光軸１５Ａ方向の他方の端部寄りの箇所に設けられ、本実施の形態では、入射面３４Ａ寄りの外周部３６の箇所に設けられ、光軸１５Ａを中心とする円筒面で形成されている。
外周面３８には、光学部品１５を回転調節するための操作用凹部３８０２が設けられている。
突出部４４は、外周面３８の周方向において操作用凹部３８０２と１８０度の位相をずらした外周面３８の箇所に設けられている。この突出部４４は、後述するベース３０の突出部用凹部４６０２に挿入され、光学部品１５の回転調節の範囲を制限するものである。
【００１２】
第１の当て付け面４０は、光学部品１５の光軸１５Ａ方向の一方の端部に位置し、言い換えると、入射面３４Ａ寄りに位置し、光軸１５Ａと直交する平面上を延在している。
本実施の形態では、図５に示すように、第１の当て付け面４０は、外周部３６の周方向の全周に延在形成されている。
【００１３】
第２の当て付け面４２は、第１の当て付け面４０よりも光軸１５Ａ方向の他方の端部寄りに位置し、言い換えると、出射面３４Ｂ寄りに位置し、光軸１５Ａを中心とする円錐面で光軸１５Ａ方向の他方の端部から一方の端部に向かうにしたがい次第に直径が大きくなる傾斜の円錐面で形成されている。言い換えると、この円錐面は、出射面３４Ｂ側が入射面３４Ａ側よりも光軸１５Ａに近づく傾斜で形成されている。
本実施の形態では、第２の当て付け面４２は、外周部３６において操作用凹部３８０２と同じ位相の箇所に、光軸１５Ａを中心とした円周方向における予め定められた範囲に設けられている。
そして、第２の当て付け面４２を構成する円錐面は、光軸１５Ａとのなす角度θが０度より大きく４５度より小さくなるように形成されており、本実施の形態では、角度θは２０度である。
なお、第２の当て付け面４２は外周部３６の全周にわたって形成されていてもよい。
また、外周面３８は、第２の当て付け面４２と１８０度位相の異なる箇所において、光軸１５Ａを中心とした円周方向における予め定められた範囲に設けてもよい。
【００１４】
また、本実施の形態では、光学部品１５は、光軸１５Ａに沿った外周面３８の幅Ｌに対する外周面３８の直径Ｄの比率（Ｄ／Ｌ）を示すＤＬ比が１よりも大きく、例えば、５以上となっている。
【００１５】
図６に示すように、ベース３０は、スライダ１２０に取り付けられる取り付け板部４６と、取り付け板部４６から起立する起立板部４８とを含んで構成されている。
取り付け板部４６の上面には、突出部４４が収容される突出部用凹部４６０２と、突出用凹部４６０２の両側に位置し外周面３８に対応した円筒面からなるガイド面４６０４とが形成されている。
起立板部４８には、光路を確保するための開口４８０２が形成され、光が入射する側の起立板部４８の面は、光軸１５Ａと直交する平面上を延在する当て付け面４８０４として形成されている。
ベース３０の材料は合成樹脂あるいは金属など従来公知のさまざまな材料が採用可能である。
【００１６】
押さえばね３２は、細長形状の板ばね本体３２０１と、板ばね本体３２０１の長手方向の一端に設けられた突起３２０２とを有している。
押さえばね３２は、その長手方向の他端がベース３０の適宜箇所に取着されて配設され、突起３２０２が第２の当て付け面４２にほぼ直角に当て付けられている。
本実施の形態では、突起３２０２は球面形状で形成されている。
押さえばね３２は、ステンレスや銅など従来公知のさまざまな材料が採用可能である。
【００１７】
光学部品１５は、上述のように押さえばね３２が第２の当て付け面４２に弾接することで、押さえばね３２の弾性力の光軸１５Ａと平行する方向の分力により第１の当て付け面４０がベース３０の当て付け面４８０４に当て付けられる。
また、押さえばね３２の弾性力の光軸１５Ａと直交する方向の分力により外周面３８がベース３０のガイド面４６０４に当て付けられる。
詳細に説明すると、図６において、押さえばね３２の弾性力によって第２の当て付け面４２を介して光学部材１５に加わる押圧力をＦとし、この押圧力Ｆの光軸１５Ａと平行する方向の分力をＦ１とし、押圧力Ｆの光軸１５Ａと直交する方向の分力をＦ２とする。
したがって、光学部品１５は、分力Ｆ１により第１の当て付け面４０がベース３０の当て付け面４８０４に当て付けられ、分力Ｆ２により外周面３８がベース３０のガイド面４６０４に当て付けられることになる。
【００１８】
光学部品１５のベース３０への組み付けは次のようになされる。
光学部品１５の第１の当て付け面４０をベース３０の当て付け面４８０４に臨ませるとともに、外周面３８を第２の当て付け面４６０２に臨ませ、突出部４４を突出部用凹部４６０２に挿入する。
そして、押さえばね３２をベース３０に取り付けることで押さえばね３２の突起３２０２を第２の当て付け面４２に当て付ける。
これにより分力Ｆ１により第１の当て付け面４０がベース３０の当て付け面４８０４に当て付けられるとともに、分力Ｆ２により外周面３８がベース３０のガイド面４６０４に当て付けられる。
この状態で、不図示の調整治具の調整ピンを操作用凹部３８０２に係合させて光学部品１５を光軸１５Ａを中心として回転させ、回折格子部３４によって分離された３つの光ビームが受光素子１１に対して正確に受光されるように光学部品１５の回転調節を行う。
この際、光学部品１５は、分力Ｆ１によって第１の当て付け面４０が当て付け面４８０４に当て付けられ、かつ、分力Ｆ２によって外周面３８がガイド面４６０２に当て付けられているため、光軸１５Ａ方向および光軸１５Ａ方向と直交する方向の双方に対して傾いたり浮き上がったりすることなく摺動する。
回転調節が終了したならば、光学部品１５とベース３０との間に接着剤を充填して硬化させ、光学部品１５をベース３０に対して固定する。
これにより、光学部品１５のベース３０への組み付けが完了する。
【００１９】
次に本実施の形態の作用効果について説明する。
まず、比較例について説明する。
図７は比較例の光学部品がベースに組み付けられている状態を示す図、図８は比較例における光学部品の傾きの発生を示す図である。
図７、図８において上記実施の形態と同様な箇所、部材に同一の符号を付しその説明を省略する。
比較例の光学部品１５´は、第２の当て付け面４２を構成する円錐面が、光軸１５Ａとのなす角度θが４５度となるように形成されている。
また、比較例では、押さえばね３２が第２の当て付け面４２に当接する箇所が、第２の当て付け面４２に線接触する平面３２０４となっている。
比較例では、角度θが４５度である点と、押さえばね３２が平面３２０４を介して第２の当て付け面４２に当接している点以外は、上述した実施の形態と同様に構成され、ベース３０も実施の形態と同様に構成されている。
したがって、比較例の光学部品１５´では、角度θが４５度であることから第１の当て付け面４０を当て付け面４８０４に当て付ける分力Ｆ１と、外周面３８をガイド面４６０４に当て付ける分力Ｆ２とが等しくなる。
一方、光学部品１５´は、実施の形態と同様に、外周面３８の幅Ｌに対する外周面３８の直径Ｄの比率（Ｄ／Ｌ）を示すＤＬ比が１よりも大きいものとなっている。
したがって、光学部品１５´に対してその直径方向に作用する分力Ｆ２と、光学部品１５の厚さ方向に作用する分力Ｆ１とが等しいことから、光学部品１５´は厚さ方向の分力Ｆ１が第１の当て付け面４０を介してベース３０の当て付け面４８０４に大きく作用し、その反力により、光学部品１５´の回転調節時に、図８に示すように、光学部品１５´の第１の当て付け面４０がベース３０の当て付け面４８０４から浮き上がるような傾きが生じやすくなる。
したがって、光学部品１５´を正確に位置決めすることができない不具合がある。
このような不具合は、ＤＬ比が２以上となると顕著に発生する。
【００２０】
これに対して、本実施の形態では、光学部品１５の第２の当て付け面４２を構成する円錐面が、光軸１５Ａとのなす角度θが０度より大きく４５度より小さくなるように形成されている。さらに、押さえばね３２に突起３２０２を設け、この突起３２０２を第２の当て付け面４２に点接触させている。
したがって、第１の当て付け面４０を当て付け面４８０４に当て付ける分力Ｆ１に対して外周面３８をガイド面４６０４に当て付ける分力Ｆ２が大きいものとなっている。
したがって、上述した比較例と異なり、光学部品１５に対してその直径方向に作用する分力２が、光学部品１５の厚さ方向に作用する分力Ｆ１よりも大きくなる。
そのため、比較例と比べて、光学部品１５は、第１の当て付け面４０を介してベース３０の当て付け面４８０４に作用する厚さ方向の分力Ｆ１の反力が小さくなると同時に、外周面３８を介してガイド面４６０２に作用する直径方向の分力Ｆ２が大きくなることにより、光学部品１５の回転調節時に、光学部品１５の第１の当て付け面４０がベース３０の当て付け面４８０４から浮き上がるような傾きの発生が抑制される。このような傾きを抑制する効果は、光学部品１５のＤＬ比が２以上となるような場合においてより顕著となる。
したがって、光学部品１５の位置決め状態を維持しつつその光学部品１５を回転調節する上で有利となる。
また、傾きや浮き上がりを防止して光学部品１５をベース３０に固定できることから、経年変化による光学部品１５の品質劣化を防止でき有利となる。
また、本実施の形態では、光学部品１５がグレーティングであることから、光学部品１５の光軸１５Ａの傾きによって収差が大きく変化する。
したがって、本実施の形態のように光学部品１５の位置決めを正確に行い光軸１５Ａの傾きを抑制することにより、収差の発生を抑制し、したがって、光ディスク１０１に対する記録および／または再生に関わる特性の向上を図る上で有利となる。
【００２１】
図９（Ａ）は実施の形態における光学部品１５の特性のばらつきを示す図、（Ｂ）は図７、図８に示す比較例の光学部品１５´の特性のばらつきを示す図である。
図９（Ａ）、（Ｂ）において横軸は、光学部品１５、１５´の特性を示す値を％で示したものである。
具体的には、前記特性は、光学部品１５、１５´によって分離された３つのビームのうちの２つのサブビームの位相差を示すものである。
図９（Ａ）、（Ｂ）において縦軸は、光学部品１５、１５´のサンプル数を示す。
図９（Ａ）、（Ｂ）に示すように、実施の形態の光学部品１５における特性の標準偏差は１０％であり、比較例の光学部品１５´における特性の標準偏差は１５％となっており、実施の形態の光学部品１５はその特性の標準偏差が５％改善されていることがわかる。
【００２２】
なお、上述の実施の形態では、光学部品１５の第２の当て付け面４２を構成する円錐面の光軸１５Ａとのなす角度θが０度より大きく４５度より小さくなるように形成されている。
角度θが０度になると、光学部品１５の第１の当て付け面４０をベース３０の当て付け面４８０４に当て付ける分力Ｆ１が０となる不利があり、角度θが４５度以上になると、上記比較例の場合と同様に分力Ｆ１が分力Ｆ２よりも大きくなり光学部品１５が傾きやすくなり前記収差の発生を抑制する上で不利がある。
角度θは、１０度より大きく３０度より小さいことがより好ましい。
すなわち、角度θが１０度より大きいと、光学部品１５の第１の当て付け面４０をベース３０の当て付け面４８０４に当て付ける分力Ｆ１を大きく確保できるため、光学部品１５の回転調節時に光学部品１５が当て付け面４８０４から浮き上がりにくくなる点で有利となる。角度θが３０度より小さいと、分力Ｆ１の反力を少なくでき光学部品１５が傾きにくくなる点で有利となる。
【００２３】
また、本実施の形態では、押さえばね３２の先端に突起３２０２を設け第２の当て付け面４２に点接触で当接させたので、第２の当て付け面４２に設計所期の分力Ｆ１、Ｆ２を得る上で有利となり、光学部品１５の位置決め状態を維持しつつその光学部品１５を回転調節する上で有利となる。
また、本実施の形態では、光学部品１５としてグレーティングを用いた場合について説明したが、光学部品としてレンズやフィルタなど従来公知のさまざまな光学部品を用いてもよいことは無論である。
【図面の簡単な説明】
【００２４】
【図１】本実施の形態の光ピックアップ１０を組み込んだ光ディスク装置１００の構成を示すブロック図である。
【図２】光ピックアップ１０の光学系２の構成を示す図である。
【図３】光学部品１５の正面図である。
【図４】図３のＡ矢視図である。
【図５】光学部品１５の背面図である。
【図６】光学部品１５がベース３０に組み付けられた状態を示す断面図である。
【図７】比較例の光学部品がベースに組み付けられている状態を示す図である。
【図８】比較例における光学部品の傾きの発生を示す図である。
【図９】（Ａ）は実施の形態における光学部品１５の特性のばらつきを示す図、（Ｂ）は図７、図８に示す比較例の光学部品１５´の特性のばらつきを示す図である。
【符号の説明】
【００２５】
２……光学系、１０……光ピックアップ、１５……光学部品、３０……ベース、３２……押さえばね、３８……外周面、４０……第１の当て付け面、４２……第２の当て付け面、１００……ディスク装置、１０１……光ディスク。
【図１】
2008217943.tif 000003
【図２】
2008217943.tif 000004
【図３】
2008217943.tif 000005
【図４】
2008217943.tif 000006
【図５】
2008217943.tif 000007
【図６】
2008217943.tif 000008
【図７】
2008217943.tif 000009
【図８】
2008217943.tif 000010
【図９】
2008217943.tif 000011